(57)【特許請求の範囲】
【請求項１】
Ｄ２Ｄ通信（Ｄｅｖｉｃｅ  ｔｏ  Ｄｅｖｉｃｅ  ｃｏｍｍｕｎｉｃａｔｉｏｎ）を行う端末の発見信号（Ｄｉｓｃｏｖｅｒｙ  ｓｉｇｎａｌ）リソース指示方法であって、
前記端末で基地局から前記Ｄ２Ｄ通信の関連情報を受信する段階と、
前記Ｄ２Ｄ通信の関連情報に基づいて、前記端末から周辺端末に発見信号リソース設定情報を含む同期信号を送信する段階と、
前記発見信号リソース設定情報に基づいて発見を行う段階と、を含むことを特徴とする発見信号リソース指示方法。
【請求項２】
前記Ｄ２Ｄ通信の関連情報は、
前記Ｄ２Ｄ通信のために割り当られた通信リソースに関する情報、発見信号に関するリソース情報、前記端末が前記同期信号を送信すべきであるか否かに関する情報、及び前記同期信号のリソース設定情報のうちの少なくとも１つを含むことを特徴とする、請求項１に記載の発見信号リソース指示方法。
【請求項３】
前記同期信号は、
発見信号の周波数情報、発見信号のタイプ情報、前記同期信号を送信する前記端末の識別子、変調及びコーディングスキーマ（Ｍｏｄｕｌａｔｉｏｎ  ａｎｄ  Ｃｏｄｉｎｇ  Ｓｃｈｅｍａ；ＭＣＳ）、参照信号（Ｒｅｆｅｒｅｎｃｅ  Ｓｉｇｎａｌ）に関する情報のうちの少なくとも１つをさらに含むことを特徴とする、請求項１に記載の発見信号リソース指示方法。
【請求項４】
前記同期信号は、
第１同期信号及び第２同期信号をさらに含み、
前記第１同期信号は、
発見信号の送受信のために使用可能なサブフレームリソースに関する情報を含み、
前記第２同期信号は、
現在のラジオフレームと、前記発見信号の送受信のためのサブフレームを含む次のラジオフレームとの関係に関する情報を含むことを特徴とする、請求項１に記載の発見信号リソース指示方法。
【請求項５】
前記同期信号は、
第１同期信号及び第２同期信号をさらに含み、
前記第１同期信号は、
発見信号の送受信のために用いるサブフレームが発生するラジオフレームの周期と、前記周期内での前記ラジオフレームのオフセットと、前記ラジオフレーム内での前記発見信号の送受信のために使用可能なサブフレームリソースとに関する情報を含み、
前記第２同期信号は、
現在のラジオフレームのインデックスに関する情報を含むことを特徴とする、請求項１に記載の発見信号リソース指示方法。
【請求項６】
前記基地局から前記同期信号を送信するか否かを決定するために、Ｄ２Ｄ通信同期リクエスト信号のモニタリング及びこのためのリソースが設定される段階と、
前記周辺端末から前記Ｄ２Ｄ通信同期リクエスト信号を受信すると、前記基地局へＤ２Ｄ通信同期リクエストを報告する段階と、をさらに含むことを特徴とする、請求項１に記載の発見信号リソース指示方法。
【請求項７】
Ｄ２Ｄ通信（Ｄｅｖｉｃｅ  ｔｏ  Ｄｅｖｉｃｅ  ｃｏｍｍｕｎｉｃａｔｉｏｎ）を行う端末の発見信号（Ｄｉｓｃｏｖｅｒｙ  ｓｉｇｎａｌ）リソース指示方法であって、
前記端末で周辺端末から発見信号リソース設定情報を含む同期信号を受信する段階と、
前記端末が、前記発見信号リソース設定情報に基づいて発見を行う段階と、を含むことを特徴とする発見信号リソース指示方法。
【請求項８】
前記同期信号は、
発見信号の周波数情報、発見信号のタイプ情報、前記同期信号を送信する前記端末の識別子、変調及びコーディングスキーマ（Ｍｏｄｕｌａｔｉｏｎ  ａｎｄ  Ｃｏｄｉｎｇ  Ｓｃｈｅｍａ；ＭＣＳ）、参照信号（Ｒｅｆｅｒｅｎｃｅ  Ｓｉｇｎａｌ）に関する情報のうちの少なくとも１つをさらに含むことを特徴とする、請求項７に記載の発見信号リソース指示方法。
【請求項９】
前記端末で前記周辺端末へ同期信号をリクエストするためのＤ２Ｄ通信同期リクエスト信号を送信する段階をさらに含むことを特徴とする、請求項７に記載の発見信号リソース指示方法。
【請求項１０】
Ｄ２Ｄ通信（Ｄｅｖｉｃｅ  ｔｏ  Ｄｅｖｉｃｅ  ｃｏｍｍｕｎｉｃａｔｉｏｎ）を行う端末であって、
少なくとも１つの基地局または周辺端末とデータ通信を行う通信部と、
前記基地局から前記Ｄ２Ｄ通信の関連情報を受信し、前記Ｄ２Ｄ通信の関連情報に基づいて、前記周辺端末へ発見信号リソース設定情報を含む同期信号を送信するように前記通信部を制御し、前記発見信号リソース設定情報に基づいて発見を行う制御部と、を含むことを特徴とする端末。
【請求項１１】
前記Ｄ２Ｄ通信の関連情報は、
前記Ｄ２Ｄ通信のために割り当てられた通信リソースに関する情報、発見信号に関するリソース情報、前記端末が前記同期信号を送信すべきであるか否かに関する情報、及び前記同期信号のリソース設定情報のうちの少なくとも１つを含むことを特徴とする、請求項１０に記載の端末。
【請求項１２】
前記同期信号は、
発見信号の周波数情報、発見信号のタイプ情報、前記同期信号を送信する前記端末の識別子、変調及びコーディングスキーマ（Ｍｏｄｕｌａｔｉｏｎ  ａｎｄ  Ｃｏｄｉｎｇ  Ｓｃｈｅｍａ；ＭＣＳ）、参照信号（Ｒｅｆｅｒｅｎｃｅ  Ｓｉｇｎａｌ）に関する情報のうちの少なくとも１つをさらに含むことを特徴とする、請求項１０に記載の端末。
【請求項１３】
前記制御部は、
前記同期信号は第１同期信号及び第２同期信号をさらに含み、
前記第１同期信号は、
発見信号の送受信のために使用可能なサブフレームリソースに関する情報を含み、
前記第２同期信号は、
現在のラジオフレームと、前記発見信号の送受信のためのサブフレームを含む次のラジオフレームとの関係に関する情報を含むように構成することを特徴とする、請求項１０に記載の端末。
【請求項１４】
前記制御部は、
前記同期信号は第１同期信号及び第２同期信号をさらに含み、
前記第１同期信号は、
発見信号の送受信のために用いるサブフレームが発生するラジオフレームの周期と、前記周期内での前記ラジオフレームのオフセットと、前記ラジオフレーム内での前記発見信号の送受信のために使用可能なサブフレームリソースとに関する情報を含み、
前記第２同期信号は、
現在のラジオフレームのインデックスに関する情報を含むように構成することを特徴とする、請求項１０に記載の端末。
【請求項１５】
前記制御部は、
前記通信部を介して前記基地局から前記同期信号の送信が必要であるか否かを決定するために、Ｄ２Ｄ通信同期リクエスト信号のモニタリングが設定され、前記周辺端末から前記通信部を介して前記Ｄ２Ｄ通信同期リクエスト信号を受信すると、前記基地局へＤ２Ｄ通信同期リクエストを報告するように前記通信部を制御することを特徴とする、請求項１０に記載の端末。
【請求項１６】
Ｄ２Ｄ通信（Ｄｅｖｉｃｅ  ｔｏ  Ｄｅｖｉｃｅ  ｃｏｍｍｕｎｉｃａｔｉｏｎ）を行う端末であって、
周辺端末とデータ通信を行う通信部と、
前記通信部を介して前記周辺端末から発見信号リソース設定情報を含む同期信号を受信すると、前記発見信号リソース設定情報に基づいて発見を行う制御部と、を含むことを特徴とする端末。
【請求項１７】
前記同期信号は、
発見信号の周波数情報、発見信号のタイプ情報、前記同期信号を送信する前記端末の識別子、変調及びコーディングスキーマ（Ｍｏｄｕｌａｔｉｏｎ  ａｎｄ  Ｃｏｄｉｎｇ  Ｓｃｈｅｍａ；ＭＣＳ）、参照信号（Ｒｅｆｅｒｅｎｃｅ  Ｓｉｇｎａｌ）に関する情報のうちの少なくとも１つを含むことを特徴とする、請求項１６に記載の端末。
【請求項１８】
前記制御部は、
前記周辺端末へ前記同期信号をリクエストするためのＤ２Ｄ通信同期リクエスト信号を送信するように前記通信部を制御することを特徴とする、請求項１６に記載の端末。
【発明の詳細な説明】
【技術分野】
【０００１】
本発明は、無線通信で機器または端末に効率的に発見(Ｄｉｓｃｏｖｅｒｙ)信号リソースを指示するための信号設計、方法及び装置に関する。
【背景技術】
【０００２】
非同期セルラー移動通信標準団体である３ＧＰＰ(３ｒｄ Ｇｅｎｅｒａｔｉｏｎ Ｐａｒｔｎｅｒｓｈｉｐ Ｐｒｏｊｅｃｔ)では、既存の基地局と端末の間の無線通信だけではなく端末または機器の間の無線通信、すなわち、Ｄ２Ｄ(Ｄｅｖｉｃｅ−ｔｏ−Ｄｅｖｉｃｅ)通信をＬＴＥ(Ｌｏｎｇ Ｔｅｒｍ Ｅｖｏｌｕｔｉｏｎ)システム規格でサポートするための論議を進行しつつある。３ＧＰＰで論議されるＤ２Ｄ通信に対する重要な要求事項のうちの一つは、既存のセルラーシステムサービスが提供されることができる状況だけではなくセルラーサービスが提供されることができない状況でも端末間の通信が可能となるようにサポートすることである。例えば、自然災害などにより基地局が動作することができない状況、すなわち、セルラーサービスが提供されることができない状況が発生した場合、Ｄ２Ｄ通信を用いたユーザの間の非常通信が可能ではなければならない。
【０００３】
Ｄ２Ｄ通信過程において、一つの端末が周辺の他の端末を発見(Ｄｉｓｃｏｖｅｒｙ)する動作は必須的であるが、このために各Ｄ２Ｄサポート端末は発見信号を送信して周辺端末に自分が存在を認識させて当該端末も周辺端末が送信する発見信号を受信することによって周辺端末の存在を認識する。
【０００４】
ここで、各端末は同じ時間基準、すなわち、共通的に適用可能な時間同期を獲得し、発見信号送受信リソースに対する設定情報を分かっていると発見信号送受信を効率的に行うことができる。例えば、Ｄ２Ｄ通信を行う端末は、端末間の同期を獲得した場合に、共通時間基準で特定時間リソースでばかり発見信号を送受信することによって他の端末からの発見信号をモニタリングするために消耗される電力を最小化できる。
【０００５】
もし、端末の間の同期が合わない場合、各端末は自分の発見信号をそれぞれの他の時間に送信するようになり、このような発見信号を受信するためには各端末が他の端末の発見信号を常にモニタリングしなければならないので端末電力消耗が増加する。
【発明の概要】
【発明が解決しようとする課題】
【０００６】
前述したように、Ｄｉｓｃｏｖｅｒｙ過程はＤ２Ｄ通信で必須的な動作であり、これを効率的に行うためには端末の間の同期が合わなければならない。一般的に端末は基地局またはネットワークから共通時間基準を獲得することによって端末間の同期を合わせることができる。しかし、自然災害のような非常状況で基地局またはネットワークが損傷されて基地局のセルラーサービス提供が不可能となると、端末間の同期を獲得する手段が無くなるようになる。
【課題を解決するための手段】
【０００７】
これを解決するために現在セルラーサービス不可能地域と隣接した正常動作基地局に属した端末が前記セルラーサービス不可能地域内の端末にＤ２Ｄ同期信号を提供する方法が研究された。しかし、前記Ｄ２Ｄ同期信号だけではなく発見信号リソース設定情報もセルラーサービス不可能地域内の端末に共有されると円滑な発見動作が可能である。これのために正常動作基地局に属した端末が追加Ｄ２Ｄ通信リソースを発見信号リソース設定情報送信用途で用いることはリソース消耗及び既存のセルラー端末通信リソース使用制約増加側面で好ましくない。したがって、正常動作基地局に属した端末がセルラサービス不可能地域内の端末に発見信号リソース設定情報を効率的に通知する方法を開発する必要がある。
【０００８】
本発明は上述したような問題点を解決するために導出されたもので、本発明の目的は、効率的に発見信号リソース設定を指示するための信号設計、指示方法、動作手続き及び装置を提供することである。
【０００９】
本発明の一実施形態によるＤ２Ｄ通信(Ｄｅｖｉｃｅ ｔｏ Ｄｅｖｉｃｅ ｃｏｍｍｕｎｉｃａｔｉｏｎ)を行う端末によって発見信号(Ｄｉｓｃｏｖｅｒｙ ｓｉｇｎａｌ)リソースを指示する方法が提供される。前記端末で基地局から前記Ｄ２Ｄ通信関連情報を受信する。前記Ｄ２Ｄ通信関連情報に基づいて前記端末から周辺端末に発見信号関連情報を含む同期信号が送信される。前記発見信号関連情報に基づいて発見が行われる。
【００１０】
本発明の他の実施形態によるＤ２Ｄ通信を行う端末によって発見信号リソースを指示する方法が提供される。前記端末で周辺端末から発見信号関連情報を受信する。前記端末が、前記発見信号関連情報に基づいて発見を行う。
【００１１】
本発明のまた他の実施形態によるＤ２Ｄ通信を行う端末のための基地局の発見信号リソースを指示する方法が提供される。前記基地局が前記端末からＤ２Ｄ通信サービスリクエストを受信する。前記基地局から前記端末にＤ２Ｄ通信関連情報が送信される。前記Ｄ２Ｄ通信関連情報は、前記Ｄ２Ｄ通信のために割り当てられた通信リソースに関する情報、発見信号に対するリソース情報、前記端末が同期信号を送信すべきであるか否か、及び前記同期信号のリソース設定情報のうちの少なくとも一つを含む。
【００１２】
本発明のまた他の実施形態によるＤ２Ｄ通信を行う端末が提供される。前記端末は少なくとも一つの基地局または周辺端末とデータ通信を行う通信部を含む。そして、前記端末は前記基地局から前記Ｄ２Ｄ通信関連情報を受信し、前記Ｄ２Ｄ通信関連情報に基づいて前記周辺端末へ発見信号関連情報を含む同期信号を送信するように前記通信部を制御し、前記発見信号関連情報に基づいて発見を行う制御部を含む。
【００１３】
本発明のまた他の実施形態によるＤ２Ｄ通信を行う端末が提供される。前記端末は周辺端末とデータ通信を行う通信部を含む。そして、前記端末は前記通信部を介して前記周辺端末から発見信号関連情報を含む同期信号を受信すると、前記発見信号関連情報に基づいて発見を行う制御部を含む。
【００１４】
本発明のまた他の実施形態によるＤ２Ｄ通信を行う端末のリソースを指示する基地局が提供される。前記基地局は前記端末とデータ通信を行う通信部を含む。そして、前記基地局は前記端末からＤ２Ｄ通信サービスリクエストを受信し、前記端末へ前記Ｄ２Ｄ通信関連情報を送信するように前記通信部を制御する制御部を含む。前記Ｄ２Ｄ通信関連情報は、Ｄ２Ｄ通信のために割り当てられた通信リソースに関する情報、発見信号に対するリソース情報、前記端末が同期信号を送信すべきであるか否か、及び前記同期信号のリソース設定情報のうちの少なくとも一つを含む。
【００１５】
本発明のまた他の実施形態によるＤ２Ｄ通信を行うための発見信号リソースを指示するシステムが提供される。前記システムは基地局からＤ２Ｄ通信関連情報を受信し、前記Ｄ２Ｄ通信関連情報に基づいて周辺端末へ発見信号関連情報を含む同期信号を送信し、前記発見信号関連情報に基づいて発見を行う端末を含む。そして、前記システムは、前記端末から前記発見信号関連情報を受信し、前記発見信号関連情報に基づいて前記発見を行う前記周辺端末を含む。そして、前記システムは、前記Ｄ２Ｄ通信関連情報を前記端末へ送信するための基地局をさらに含む。
【００１６】
本発明のまた他の実施形態による端末がＤ２Ｄ通信を行うための発見信号リソースを指示する製造品が提供される。前記製造品は、基地局からＤ２Ｄ通信関連情報を端末で受信する段階と、前記Ｄ２Ｄ通信関連情報に基づいて前記端末から周辺端末に発見信号関連情報を含む同期信号を送信する段階と、及び前記発見信号関連情報に基づいて発見を行う段階を行うようにする一つ以上のプログラムを記憶する記録媒体を含む。
【００１７】
本発明のまた他の実施形態による端末がＤ２Ｄ通信を行うための発見信号リソースを指示する製造品が提供される。前記製造品は、前記端末が周辺端末から発見信号関連情報を受信する段階と、及び前記端末が前記発見信号関連情報に基づいて発見する段階と、を行うようにする一つ以上のプログラムを記憶する記録媒体を含む。
【００１８】
本発明のまた他の実施形態による端末がＤ２Ｄ通信を行うための発見信号リソースを指示する製造品が提供される。前記製造品は、前記基地局が前記端末からＤ２Ｄ通信サービスリクエストを受信する段階と、及び前記基地局から前記端末にＤ２Ｄ通信関連情報を送信する段階を行うようにする一つ以上のプログラムを記憶する記録媒体を含む。前記Ｄ２Ｄ通信関連情報は、前記Ｄ２Ｄ通信のために割り当てられた通信リソースに関する情報、発見信号に対するリソース情報、前記端末が同期信号を送信すべきであるか否か、及び前記同期信号のリソース設定情報のうちの少なくとも一つを含む。
【発明の効果】
【００１９】
本発明は、Ｄ２Ｄ同期信号に発見信号リソース設定情報を含む方法を介して同期獲得と共に発見信号リソース設定情報を端末に通知することができるから別途の発見信号リソース設定情報送信のための追加Ｄ２Ｄ通信リソース無しにＤ２Ｄ同期獲得過程で効率的に発見信号リソース設定情報を提供することができる。また、本発明で提供するＤ２Ｄ同期信号送信端末選択のための基地局及び端末動作手続きはＤ２Ｄ同期信号送信による端末消耗電力と既存のセルラー端末に対する通信リソース制約を減少させるメリットがある。
【図面の簡単な説明】
【００２０】
【図１】本発明の無線通信システムで端末及び基地局のＤ２Ｄ関連信号の送受信流れの例を示す図面である。
【図２】本発明の無線通信システムで端末及び基地局のＤ２Ｄ関連信号の送受信流れの他の例を示す図面である
【図３】本発明の無線通信システムでＤ２Ｄ同期信号の設計構造に対する例を示す図面である。
【図４】本発明の無線通信システムでＤ２Ｄ同期信号の設計構造に対する他の例を示す図面である。
【図５】本発明の無線通信システムでＤ２Ｄ同期信号の設計構造に対するまた他の例を示す図面である。
【図６】本発明の無線通信システムで端末送信端及び受信端ブロック構成を示す図面である。
【発明を実施するための形態】
【００２１】
以下、本発明の好ましい実施形態を添付された図面を参照して説明する。同一又は類似の要素は互いに異なる図面に示しても、同一又は類似の参照番号によって説明される。そして、本発明を説明するにあたり、関連する公知機能又は構成に対する具体的な説明が本発明の要旨を不必要にすることができると判断された場合、その詳細な説明は省略する。また、後述される用語は本発明での機能を考慮して定義された用語として、これはユーザ、運用者の意図または慣例などによって変わることができる。したがって、その定義は本明細書全般にわたった内容を基づいて下すべきである。
【００２２】
以下、本発明ではＤ２Ｄ同期信号を通じる発見信号リソース設定情報提供を効率的にサポートするためのＤ２Ｄ同期信号設計、方法及び装置に対して説明する。
【００２３】
図１は、本発明の無線通信システムにおいて、端末及び基地局のＤ２Ｄ関連信号の送受信流れの例を示している。
【００２４】
図１を参照すれば、端末ＵＥ１(１００)と端末ＵＥ２(１０１)はそれぞれの基地局ＢＳ１０２のサービス領域の外側と内側に位置すると仮定する。また、ＵＥ１(１００)は、自分が位置した地域で自然災害などによりＢＳに損傷が発生して現在のセルラーサービスを受けることができない状況と仮定し、ＵＥ２(１０１)はＢＳ１０２のサービス領域境界部に位置すると仮定する。前述したようにＢＳ１０２は自分のサービス領域内の端末から受信されるチャンネル状態情報報告及びサウンディング基準信号、または端末に対する電力制御過程を介して自分のサービス領域内の端末のうちのＵＥ２(１０１)のように領域境界近所に位置する端末が分かる。また、当該基地局はセルラーネットワークを介して隣接基地局が自然災害などによる傷ついて自分のサービス領域隣接地域にセルラーサービス不可能地域が発生した事実が分かる。したがって、ＢＳ１０２はＵＥ２(１０１)がＵＥ１(１００)のようなセルラーサービス不可能地域内の端末とＤ２Ｄ通信をする可能性があると判断可能である。
【００２５】
ＢＳ１０２は、セルラーサービスのための同期信号及びシステム情報を自分のサービス領域内の端末に送信する(１０３)。ＵＥ２(１０１)は、ＢＳ１０２のサービス領域中に位置するからセルラー同期信号及びシステム情報検出に成功するはずで(１０４)、ＵＥ２(１０１)はシステム情報からＵＥ２(１０１)が用いるセルラーチャンネル帯域幅設定１０５を分かる。一方、ＵＥ１(１００)はＢＳ１０２のサービス領域の外側に位置してセルラー同期信号及びシステム情報を検出することができない(１０６)。したがって、ＵＥ１(１００)はセルラーチャンネル帯域幅設定を分からない。この場合、ＵＥ１(１００)のようなネットワークサービス半径の外の端末は、Ｄ２Ｄ通信のために予め決定された特定帯域幅値を有するフォールバック(Ｆａｌｌ ｂａｃｋ)チャンネル帯域幅を設定する(１０７)。
【００２６】
もし、ＵＥ１(１００)とＵＥ２(１０１)がＤ２Ｄ通信をする場合、ＢＳ１０２は前述したようにＵＥ２(１０１)がＵＥ１(１００)のようなセルラーサービス不可能地域内の端末とＤ２Ｄ通信をする可能性があると判断可能であるので、ＵＥ２(１０１)のＤ２Ｄ通信リソースを前記フォールバックチャンネル帯域幅内に割り当てることによってＵＥ１(１００)とＵＥ２(１０１)の間の円滑なＤ２Ｄ通信が可能するようにする。前記フォールバックチャンネル帯域幅は、ＬＴＥシステムの最も小さいチャンネル帯域幅である１.４ＭＨｚと設定されることができるが、本発明ではここに制約を置かない。
【００２７】
ＵＥ２(１０１)がＤ２Ｄサービスを受けることを希望する場合、ＵＥ２(１０１)はＢＳ１０２にＤ２Ｄサービスリクエスト信号を送信することができる(１０８)。ＢＳ１０２はこれに対する応答でＤ２Ｄ通信に用いられるリソース割り当て及びＤ２Ｄ同期信号設定関連情報をＵＥ２(１０１)に送信する。ここでＤ２Ｄ通信に用いられるリソース割り当てはＢＳ１０２がＤ２Ｄ通信用に割り当てる通信リソース、またはＵＥ２(１０１)を含むＢＳ１０２のサービス領域内の端末がそれぞれの発見信号を送信するのに使用する通信リソースに対する情報を含む。また、Ｄ２Ｄ同期信号設定関連情報はＵＥ２(１０１)がＤ２Ｄ同期信号を送信するようにするか否かとＤ２Ｄ同期信号を送信するのに用いられる通信リソースに対する設定情報を含む。ここでＢＳ１０２はＵＥ２(１０１)にＤ２Ｄ同期信号を送信するように設定するか否かを決定し、決定のためにＵＥ２(１０１)から別途の報告を要しない。
【００２８】
ＢＳ１０２からＤ２Ｄリソース割り当て及びＤ２Ｄ同期信号送信設定(１０９)を受信したＵＥ２(１０１)は設定されたリソースを介してＤ２Ｄ同期信号を送信する(１１０)。ＵＥ１(１００)は前記Ｄ２Ｄ同期信号１１０検出を試みてＤ２Ｄ通信遂行のための同期と共に発見信号リソース設定情報を獲得する。前記発見信号リソースは、ＢＳ１０２がＵＥ２(１０１)を含む自分のサービス領域内の端末に設定したことであり、ＵＥ２(１０１)は前記発見信号リソース設定情報をＤ２Ｄ同期信号に含ませて送信する。以後、ＵＥ１(１００)は獲得した発見信号リソース設定情報から発見信号送受信可能リソースに対する設定が分かって、前記発見信号送受信可能リソースを介して自分の発見信号を送信する(１１１)。ＵＥ２(１０１)もＢＳ１０２から設定された発見信号リソース設定情報に基づいて自分の 発見信号を送信する。前記２つのＵＥ(１００、１０１)は発見信号送受信可能リソースのうちでそれぞれが発見信号を送信したリソースの外には他のＵＥから送信された発見信号の受信を試みる。
【００２９】
図２は、本発明の無線通信システムで端末及び基地局のＤ２Ｄ関連信号の送受信流れの他の例を示す。
【００３０】
図２を参照すれば、ＵＥ１(２００)、ＵＥ２(２０１)、ＢＳ２０２に対する仮定とセルラーサービスのための同期信号及びシステム情報送信(２０３)以後のＵＥ２(２０１)のＤ２Ｄサービスリクエスト(２０８)段階まで信号流れは前述した図１の１０３段階から１０８段階までと同じである。差異は図１の場合、ＢＳ１０２がＵＥ２(１０１)から別途の報告無しにＤ２Ｄ同期信号送信端末を決定したが、図２の場合はＢＳ２０２がＵＥ２(２０１)から受信した報告に基づいてＤ２Ｄ同期信号送信端末を決定するということである。
【００３１】
ＢＳ２０２は自分のサービス領域境界部に位置したＵＥ２(２０１)にＵＥ１(２００)のようにセルラーサービス不可能地域内の端末から送信される信号をモニタリングできるリソースを設定する(２０９)。ここで、ＵＥ１(２００)のようにセルラーサービス不可能領域内の位置する端末が送信する信号はＤ２Ｄ同期リクエスト信号２１０として、予め決定された周期とリソースを介して送信される。ここで前記Ｄ２Ｄ同期リクエスト信号は特定の周波数リソースに割り当てられて送信されることができる。
【００３２】
もし、ＵＥ２(２０１)がＢＳ２０２から設定された区間の間のＤ２Ｄ同期リクエスト信号受信に成功するようになれば(２１０)、ＵＥ２(２０１)は前記Ｄ２Ｄ同期リクエスト信号を受信したという報告(２１１)をＢＳ２０２へ送信することによって、ＵＥ２(２０１)の周辺にＤ２Ｄ同期信号を要する端末が存在することをＢＳ２０２に通知する。ＢＳ２０２は前記報告に基づいてＵＥ２(２０１)にＤ２Ｄ同期信号を送信することを承諾するか否かを決定する。
【００３３】
もし、ＵＥ２(２０１)から前記Ｄ２Ｄ同期リクエスト信号受信報告がない場合、ＢＳ２０２はＵＥ２(２０１)周辺にＤ２Ｄ同期信号を要する端末が存在しないと判定してＵＥ２(２０１)がＤ２Ｄ同期信号を送信しないように設定する。以後、Ｄ２Ｄリソース割り当て及びＤ２Ｄ同期信号送信設定送信(２１２)、Ｄ２Ｄ同期信号送信２１３及び発見信号送受信２１４過程は前述した図１と同じである。
【００３４】
前記端末報告に基づいた基地局のＤ２Ｄ同期信号送信端末の決定方法は基地局のサービス領域と隣接した地域にセルラーサービスを受けることができない端末が存在してＤ２Ｄ同期信号が必要な場合にだけ送信を決定するから、Ｄ２Ｄ同期信号送信に消耗されるリソース量及び当該リソースに対する既存のセルラー端末通信リソース使用制約を減少させる側面でメリットがある。
【００３５】
図３は、本発明の無線通信システムでＤ２Ｄ同期信号設計構造に対する例を示されている。ここで端末がＤ２Ｄ同期信号をアップリンクで送信すると仮定した。しかし、本発明においてＤ２Ｄ同期信号送信をアップリンクで制限することではない。
【００３６】
図３を参照すれば、Ｄ２Ｄ同期信号は周波数上にアップリンクチャンネル帯域幅３００内で時間上に１０ｍｓの長さを有するラジオフレーム３０１内で２回送信される。前記Ｄ２Ｄ同期信号を含むラジオフレーム３０１は基地局のＤ２Ｄ同期信号設定により一定の周期または毎ラジオフレームごとに存在することができる。１個のラジオフレーム３０１は、１ｍｓの長さを有する１０個のサブフレーム３０２から構成され、１個のサブフレームは０.５ｍｓの長さを有する２個のスロット３０４からなる。また、１個のスロットは７個のシンボルから構成される。
【００３７】
ここで、Ｄ２Ｄ同期信号はサブフレーム０(３０２)とサブフレーム５(３０３)の第１スロット内の最後の２つのシンボル時間区間に送信される。本発明では前記Ｄ２Ｄ同期信号の送信リソースを図３の例で制限することではなく、多様な位置のリソース活用が可能である。
【００３８】
ここで、Ｄ２Ｄ同期信号は第１Ｄ２Ｄ同期信号３０５と第２Ｄ２Ｄ同期信号３０６から構成され、前記２個のＤ２Ｄ同期信号のすべてのシーケンスに基づく信号構造を持つ。前述したようにＤ２Ｄ同期信号はラジオフレーム３０１内に２回送信されるが、第１Ｄ２Ｄ同期信号３０５は２回同じシーケンスで送信されてサブフレーム単位同期獲得機能を行い、第２Ｄ２Ｄ同期信号３０６は最初とその次の送信時に２個の短いシーケンスの周波数上の位置が互いにスイッチングされるからラジオフレーム単位同期獲得を行うことができる。
【００３９】
第１Ｄ２Ｄ同期信号は多数のＺＣ ｒｏｏｔ ｓｅｑｕｅｎｃｅ ｉｎｄｅｘのうちで一つのＺＣ ｒｏｏｔ ｓｅｑｕｅｎｃｅ ｉｎｄｅｘを選択して生成されたＺＣシーケンスから構成されて周波数ドメインで前記ＺＣシーケンスがマッピング(ｍａｐｐｉｎｇ)される。したがって、第１Ｄ２Ｄ同期信号がＭ個のＺＣ ｒｏｏｔ ｓｅｑｕｅｎｃｅ ｉｎｄｅｘのうちで一つを選択して生成されたら、第１Ｄ２Ｄ同期信号を用いてＭ個のｓｔａｔｅを表現することができる。
【００４０】
また、第２Ｄ２Ｄ同期信号は周波数ドメインで２個の短いシーケンスがｉｎｔｅｒｌｅａｖｅされた形態で生成される。それぞれの短いシーケンスはｍ−ｓｅｑｕｅｎｃｅとスクランブリングシーケンスを乗じた形態で生成され、ｍ−ｓｅｑｕｅｎｃｅは特定ｃｙｃｌｉｃ ｓｈｉｆｔ値を有する。したがって、２個の短いシーケンスがそれぞれ有するｃｙｃｌｉｃ ｓｈｉｆｔ値の組合がＮ個であれば、Ｎ個のｓｔａｔｅを表現することができる。
【００４１】
Ｄ２Ｄ同期信号は、前述の内容に基づいて第１と第２Ｄ２Ｄ同期信号を用いて次の表１に示した例のように発見信号リソース設定情報を通知することができる。ここで発見信号送受信のためのリソース単位は多数の連続的なサブフレームから構成され、前記連続されたサブフレームリソース単位が一定の周期をもって存在すると仮定する。また、前記連続されたサブフレームリソース単位のラジオフレーム内の位置はＤ２Ｄ同期信号送信用サブフレームを除いた予め定められた特定の位置に常に固定されていると仮定する。
【００４２】
【表１】
0006445529.tif 000002
【００４３】
特に前記表１の例２の場合、Ｄ２Ｄ同期信号を受信した端末は現在のラジオフレームが次の数式(１) 条件を満足する場合、現在ラジオフレーム内の予め定められた特定の位置に発見信号送受信のためのリソースが存在すると判断することができる。
(nradio frame - Toffset)modTdiscovery = 0 ・・・・・・・（１）
【００４４】
図４は、本発明の無線通信システムでＤ２Ｄ同期信号設計構造に対する他の例を示している。図４を参照すれば、Ｄ２Ｄ同期信号を含むラジオフレーム４００は基地局のＤ２Ｄ同期信号設定によって一定のＤ２Ｄ同期信号送信周期４０１ごとに一度存在する。前記ラジオフレーム４００内の特定の位置に第１と第２Ｄ２Ｄ同期信号を含むサブフレーム４０２が存在する。
【００４５】
本実施形態では前記サブフレーム４０２のすべてのシンボルが２個のＤ２Ｄ同期信号リソースで用いられる。一つのサブフレームは１４シンボル時間区間から構成されるから、第２Ｄ２Ｄ同期信号のためにｎ個のシンボルを用いる場合、第１Ｄ２Ｄ同期信号のために１４−ｎ個のシンボルを用いることができる。ここで、第１Ｄ２Ｄ同期信号は特定の情報を含まないとか、又は前述の表１の例１と類似に発見信号送受信のための連続されたサブフレーム数に対する情報を含むことができる。
【００４６】
第２Ｄ２Ｄ同期信号は各シンボルに１シーケンスずつ、総ｎ個のシンボルに総ｎ個のシーケンスが存在する形態で構成される。前記各シーケンスは、２つのｃｙｃｌｉｃ ｓｈｉｆｔ値のうちの一つを有するか、又は２個のシーケンスのうちで一つを用いる方法を用いて‘０’ または‘１’の２つのｓｔａｔｅを表現することができる。したがって、ｎシンボルを占める第２Ｄ２Ｄ同期信号は総２ｎ個の値を表現することができる。前記２ｎ値は現在のラジオフレームでこれから幾つかのラジオフレーム後にＤｉｓｃｏｖｅｒｙ送受信のためのサブフレームを含むラジオフレーム４０３が出現するのかを通知する一種のｃｏｕｎｔｅｒ値として活用することができる。
【００４７】
例えば、第２Ｄ２Ｄ同期信号が６シンボル区間を占めると仮定する時、図４の第２ラジオフレームに含まれた第２Ｄ２Ｄ同期信号は‘０００００１’を表現している。これはこれからＤ２Ｄ同期信号を含むラジオフレームがさらに一つ出た後、今後の予め決定された時間区間４０４後に発見信号送受信のための連続されたサブフレームを含むラジオフレームが存在することを通知する。そして、第２ラジオフレームに含まれた第２Ｄ２Ｄ同期信号は‘００００００’を表現している。これは現在Ｄ２Ｄ同期信号を含むラジオフレームで予め決定された時間区間４０４後に発見信号送受信のための連続されたサブフレームを含むラジオフレーム４０３が存在することを通知する。したがって、Ｄ２Ｄ同期信号を受信した端末は当該ラジオフレーム４０３内の予め定められた特定の位置の発見信号送受信のための連続されたサブフレームを介してＤｉｓｃｏｖｅｒｙ動作を行うことができる。
【００４８】
前記方法は、Ｄ２Ｄ同期信号を介して発見信号リソース設定情報を通知する同時に、第１及び第２Ｄ２Ｄ同期信号に多数のシンボルを割り当てることによってＤ２Ｄ同期獲得性能を保障する。
【００４９】
図５は、本発明の無線通信システムでＤ２Ｄ同期信号設計構造に対するまた他の例を示している。
【００５０】
図５を参照すれば、発見信号リソース設定情報５０１はＤ２Ｄ同期信号５００位置に対応して予め定められた位置で送信される。
【００５１】
本実施形態では一つのサブフレーム内にＤ２Ｄ同期信号５００と発見信号リソース設定情報の一部が共に送信され、Ｄ２Ｄ同期信号５００が送信される次第に次のシンボルに残り発見信号リソース設定情報５０１が位置すると仮定した。しかし、本実施形態で残り発見信号リソース設定情報５０１位置をここに制限することではなく、残り発見信号リソース設定情報５０１のためにＤ２Ｄ同期信号５００に対応する多様な相対的位置選択が可能である。
【００５２】
ここでＤ２Ｄ同期信号５００は、第１と第２Ｄ２Ｄ同期信号で構成されてＤ２Ｄ同期信号５００に割り当られたシンボルのうちで一部は第１、残り一部は第２Ｄ２Ｄ同期信号のために用いられる。
【００５３】
Ｄ２Ｄ同期信号５００は発見信号リソース設定関連情報のうちで一部を通知し、追加情報で前記残りリソース設定関連情報５０１が送信されるリソース位置に対する情報を通知する。
【００５４】
例えば、Ｄ２Ｄ同期信号５００は発見信号送受信のために用いられるサブフレームが発生するラジオフレーム単位の周期を通知し、残り発見信号リソース設定関連情報５０１はＤ２Ｄ同期信号５００が送信される次第に次のシンボルに含まれる。
【００５５】
ここで、残り関連情報は前記周期内でのラジオフレーム単位のｏｆｆｓｅｔ、発見信号送受信のためのサブフレームを含むラジオフレーム内で発見信号送受信のために用いられる連続的なサブフレーム数が含まれることができる。ここで、Ｔ＿ｐｅｒｉｏｄ５０２は、基地局が設定したＤ２Ｄ同期信号送信周期であり、Ｄ２Ｄ同期信号及び発見信号リソース設定情報は図５に示した例のように周波数／時間リソース上に多様な位置に割り当られることができる。
【００５６】
図６は、本発明による無線通信システムで端末のＤ２Ｄ同期信号送信端及び受信端ブロック構成の例を示している。図６を参照すれば、送信端の制御機６００は基地局が設定したＤ２Ｄ同期信号送信設定及び前述の実施形態のＤ２Ｄ同期信号を用いた発見信号リソース設定情報指示方法のうちで一つに基づいてＤ２Ｄ同期信号生成を制御する。また、Ｄ２Ｄ同期信号生成器６０１は前記制御機６００によって現在発見信号リソース設定と対応される適切なＤ２Ｄ同期信号シーケンスを生成する。以後送信機(または送受信部、通信部と命名されることができる。)６０２でＤ２Ｄ同期信号のための時間／周波数リソースで前記Ｄ２Ｄ同期信号がマッピングされた後に送信される。
【００５７】
受信端の受信機(または、送受信部、通信部、Ｄ２Ｄ同期信号検出器と命名されることができる。)６０３は送信端から受信した信号からＤ２Ｄ同期信号を検出する。検出されたＤ２Ｄ同期信号は発見信号リソース設定情報検出器６０４に入力されて制御機６０５から前述の実施形態で示したＤ２Ｄ同期信号を用いた発見信号リソース設定情報指示方法のうちの一つが適用されてＤ２Ｄ同期信号から発見信号リソース位置を解釈する。
【００５８】
一方、本発明の実施形態において、Ｄ２Ｄ同期信号生成器６０１及び発見信号リソース設定情報検出器６０４の動作はそれぞれの送信端の制御機６００及び受信端の制御機６０５によって行われることができる。
【００５９】
追加で、本発明による無線通信システムで基地局はＤ２Ｄ同期信号送信端及び受信端と類似に、通信部及び制御機を含んで構成されることができる。基地局の制御機は端末からＤ２Ｄ通信サービスリクエストを受信し、前記端末へＤ２Ｄ通信関連情報を送信するように通信部を制御することができる。
【００６０】
また、制御部は、端末でＤ２Ｄ通信同期リクエスト信号モニタリングを設定し、端末からＤ２Ｄ通信同期リクエストが報告されると、Ｄ２Ｄ通信関連情報を送信するように通信部を制御することができる。
【００６１】
本明細書で説明された方法を行うための命令またはコードを含むソフトウェア要素は、一つ以上のメモリー装置(例えば、Ｒｅａｄ Ｏｎｌｙ Ｍｅｍｏｒｙ(ＲＯＭ)、固定されたまたは移動可能なメモリー)内に記憶されていることができ、中央処理装置(ＣＰＵ)またはコントローラーにより実行されることができる。
【００６２】
前述したＤ２Ｄ同期信号を用いた情報伝達方法は、発見信号リソース設定情報だけではなく、他の種類の情報を伝達するのに用いられることができる。例えば、発見信号の周波数位置、発見信号のタイプ、Ｄ２Ｄ同期信号を送信する端末のＩＤ、Ｍｏｄｕｌａｔｉｏｎ ａｎｄ Ｃｏｄｉｎｇ Ｓｃｈｅｍｅ(ＭＣＳ)、Ｒｅｆｅｒｅｎｃｅ Ｓｉｇｎａｌ位置などを通知するのに用いられることができる。
【００６３】
一方、本発明の詳細な説明では具体的な実施形態に関して説明したが、本発明の範囲から逸脱せず限度内で様々な変形が可能である。したがって、本発明の範囲は説明された実施形態に決定するものではなく、後述する特許請求の範囲だけではなくこの特許請求の範囲と均等なものなどにより定めるべきである。
【符号の説明】
【００６４】
１００  端末ＵＥ１
１０１  端末ＵＥ２
１０２  基地局ＢＳ
２００  ＵＥ１
２０１  ＵＥ２
２０２  ＢＳ
３００  アップリンクチャンネル帯域幅
３０１  ラジオフレーム
３０２  サブフレーム０
３０３  サブフレーム５
３０４  スロット
３０５  第１Ｄ２Ｄ同期信号
３０６  第２Ｄ２Ｄ同期信号
４００  ラジオフレーム
４０１  Ｄ２Ｄ同期信号送信周期
４０２  サブフレーム
４０３  ラジオフレーム
４０４  時間区間
５００  Ｄ２Ｄ同期信号
５０１  発見信号リソース設定情報
５０２  Ｔ＿ｐｅｒｉｏｄ
６００  制御機
６０１  Ｄ２Ｄ同期信号生成器
６０２  送信機
６０３  受信機
６０４  発見信号リソース設定情報検出器
６０５  制御機
【図１】
0006445529.tif 000003
【図２】
0006445529.tif 000004
【図３】
0006445529.tif 000005
【図４】
0006445529.tif 000006
【図５】
0006445529.tif 000007
【図６】
0006445529.tif 000008